(57)【要約】      （修正有）【課題】納骨堂やお墓などの限れたスペースを有効に利用し、さらに、長い年月が経過しても誰の遺骨か容易に判別でき、少なくとも数十年単位の期間が経過した場合でも表示が薄くならず文字が判読でき、故人を識別できる、骨壷を提供する。【解決手段】陶磁器や大理石製の円筒形または方形の器部２から成る壺本体１と、この壺本体の上部開口部を覆う様に、設けられた蓋部３とからなる骨壷の器部の外部側面部を凹状に彫り込んで貼着部４に、故人の写真と戒名、氏名、享年、命日、等を付設したプレート５を貼着し、更に、その上から透明の樹脂で被着するものである。【選択図】図４
0003116594.tif 000002
【実用新案登録請求の範囲】
【請求項１】
円筒形または方形の器部（２）から成る壺本体と、この壺本体の上部開口部を覆う様に、設けられた蓋部（３）とからなる骨壷（１）において、前記器部（２）の外部側面部に、凹状に形成された貼着部（４）を設け、該貼着部（４）に故人の写真が貼設されたプレート（５）を貼着したことを特徴とする骨壷。
【請求項２】
上記プレート（５）には、写真と共に、戒名、氏名、享年、命日、等が付設され、貼着部（４）に貼着され、更に、透明の樹脂で被着することを特徴とする請求項１記載の骨壷。
【考案の詳細な説明】
【技術分野】
【０００１】  本考案は、遺体を火葬した後に残った遺骨を収納する、骨壷に関するもので、長い年月を経ても故人の識別を容易に出来る事を目的とする。
【背景技術】
【０００２】  従来遺体の処置は、埋葬と火葬が最も普及している。そのなかで、埋葬文化圏では棺を、火葬文化圏では、焼骨を納める骨壷が使用され、現在の日本は、火葬が普及し全体の９９％を占めている。【０００３】  火葬は、「荼毘」とも言い、古くはインドで行われた。釈迦が入滅時に、その遺体が荼毘に付されて以来、火葬が仏教徒の葬法となりました。
古代日本においては、死者は白骨化して初めて浄化される存在であり、腐敗途中に有る死体は死霊が取り憑いた存在として忌避された。そこで、火葬は死体を焼却する事によって肉と骨の分離を素早く行う事が出来ることから、死者や死霊に対する恐怖の念を緩和することに役立ったと思われる。
近代に入ると、明治政府は伝染病予防のためや公衆衛生の観点から火葬を推進、太平洋戦争後は行政が積極的に近代化と福祉の観点から火葬を推進し、行政の責任において火葬場を設立しました。近年は火葬場建設反対運動への配慮もあって、煙の再燃処理を行い、無臭、無煙、無公害化を実現した火葬場が年々増えてきており、最近では「斎場」と呼ばれるようになった。
欧米の火葬が骨灰にするのに対し、日本では遺骨を大切にする風習から、遺骨の形が残るほうが良いとされ、火葬後の「拾骨（収骨、骨上げ）」の儀礼も葬儀の重要な位置を占めている。【０００４】  この様に、日本においては、遺骨に対する信仰が高く、それは、人間が生きている間は肉と骨が魂の宿る所であったが、死んで火葬になったあとでは遺骨だけが肉体の残りとなる。
太平洋戦争で死んだ多くの兵士の遺骨収集が、戦後何十年に渡って続けられたことなどから、遺族にとっていかに大切なものであるかがわかる。
これは仏教の教えというよりも、日本人の肉親の遺骨に対する尊敬の念から来ているのであり、そしてこの大切な遺骨を納める骨壷や安置する場所などが重要な問題となっている。【０００５】  火葬が行われると、あとに残った骨は遺骨として大事に壷に納められていた。
始め、その時の入れ物は専用の壷ではなかったが、骨壷を故人の象徴として祭るようになると、特別の壷が作られるようになった。
歴史的には、釈迦の遺骨を納めた骨壷が異国から伝えられたとき、日本でも遺骨を美しい器に入れておくという考え方が生まれたものである。
現在の日本の骨壷はほとんどが陶磁器製又磁器製品であり、さらに大理石の骨壷などがある。
最近では、陶磁器製及び大理石製などの骨壷は、中国からの輸入が急速に増えている。【０００６】  この様に、遺骨を、美しく、耐久性の有る陶磁器や代理石の骨壷に入れ、故人の象徴として長い年月保存するものである。
この場合、長い年月が経過しても故人を識別するために、骨壷の表面や蓋の裏などに、油性のペンなどで故人の姓名や命日などを記入していた。【０００７】  次に、遺骨を納めた骨壷を安置する場所として、納骨堂とお墓とがあり、両者の違いは、納骨堂は「遺骨を預け、保管してもらう施設」であり、お墓とは「遺体や遺骨を収蔵する施設」というものである。
近年、大都市圏ではどこでも墓地の不足が目立っており、そこで生まれたのが納骨堂である。
普通お墓では遺骨を墓石の地下に埋蔵し、これに対して納骨堂は、「納骨堂」という建物の中に遺骨を納めるもので、つまり一つの建物の中に数多くの墓を集めた、言わばお墓のマンションとも言えるものある。
上記の様に、従来遺体の処置は、火葬し残った焼骨を陶磁器製などの骨壷に収納し納骨堂またはお墓などの、限られたスペースに安置するものであった。
【考案の説明】
【考案が解決しようとする課題】
【０００８】  納骨堂は、元来上記の様に、お墓を建てるまでの間一時的に預けておくところとであったが、大都市圏では、墓地不足の祈りから納骨堂をお墓の代わりにして永代納骨をする人も少なくない。
永代納骨の場合、ロッカー式の納骨堂であればそのスペースの使用権を取得して遺骨を納めるのですから、こうしたものすべてがお墓の代わりになっているものである。
【０００９】  しかしながら、この様な納骨堂は、骨壷を置くスペースが限られており、また、お墓なども長い年月使用する間に、骨壷の数も増えていき、そのスペースでは収納しきれない場合も出てくる。
また、通常納骨堂では、骨壷と同時に位牌や遺影なども収納する場合もあり、より骨壷を置くスペースが狭くなるものである。
【００１０】  また、納骨堂やお墓に長い年月骨壷を安置する場合問題になるのが、その遺骨に判別である、安置されて短期間であれば、遺族もある程度判別できるが、期間が経つにつれ記憶も薄れ判らなく成って来るものである。
そのために、上記の様に、納骨の最、骨壷の表面や蓋の裏などに、油性のペンなどで故人の姓名や命日などを記入していた。
しかし、この様な油性のペンなどによる表示は、数ヶ月とか数年単位であれば、有効であるが、通常は、お墓などでめったに骨壷を見ることはなく、少なくとも数十年単位の期間が経過する場合が多く、この場合表示が薄くなって文字が判読出来なくなり、故人の識別が出来なく成ると言う問題が生じる。
【００１１】  本考案の目的は、納骨堂などの限れたスペースを有効に利用し、さらに、長い年月が経過しても誰の遺骨か容易に判別できる骨壷を提供するものである。
【課題を解決するための手段】
【００１２】  上記課題を解決するため、本考案の骨壷は、円筒形または方形の器部（２）から成る壺本体と、この壺本体の上部開口部を覆う様に、設けられた蓋部（３）とからなる骨壷（１）において、前記器部（２）の外部側面部に、凹状に形成された貼着部（４）を設け、該貼着部（４）に故人の写真が貼設されたプレート（５）を貼着したもので、上記凹状に形成された貼着部（４）は、例えば、ハート形など任意の形状にすることが出来、また、上記プレート（５）は、長い年月の経過に耐えるように、それ自体表面加工を施されたものである。
【００１３】  上記プレート（５）には、写真と共に、戒名、氏名、享年、命日、等が付設され、貼着部（４）に貼着し、更に、透明の樹脂で被着するもので、写真と共に、戒名、氏名、享年、命日、等が付設することで、別に位牌や遺影を置く必要がなく、骨壷だけを安置することにより、よりスペースを有効に利用できる。
また、透明の樹脂で被着することにより、さらに長い年月耐えうるようにするものである。
【考案の効果】
【００１４】  本考案は、上述のとおり構成されているもので、次に記載する効果を奏する。
【００１５】  納骨堂やお墓などを長い年月使用する間に、骨壷の数も増えていき、その限られたスペースでは収納しきれない場合も出てくる。
また、通常納骨堂では、骨壷と同時に位牌や遺影なども収納する場合もあり、より骨壷を置くスペースが限られる。
この様な、納骨堂やお墓などの限れたスペースを有効に利用し、さらに、長い年月が経過しても誰の遺骨か容易に判別でき、少なくとも数十年単位の期間が経過した場合でも表示が薄くならず文字が判読でき、故人を識別できるものである。
【考案を実施するための最良の形態】
【００１６】  本考案の骨壷は、陶磁器や大理石製の円筒形または方形の器部から成る壺本体と、この壺本体の上部開口部を覆う様に、設けられた蓋部とからなる骨壷を設ける。
前記骨壷の器部の外部側面部を凹状に彫り込んで貼着部を設ける。【００１７】  次に、故人の写真が貼設されたプレートを設け、さらに、このプレートには、写真以外に、戒名、氏名、享年、命日、等を付設する。【００１８】  上記の様に設けられたプレートを、骨壷の器部の外部側面部を凹状に彫り込んで設けられた貼着部に貼着する。
更に、その上から透明の樹脂で被着するものである。
【実施例】
【００１９】考案の実施例について図面を参照して説明する。
本考案は図１に示す様に、上記課題を解決するため、本考案の骨壷は、陶磁器や大理石製の円筒形または方形の器部（２）から成る壺本体を設け、この壺本体の上部開口部を覆う様に、設けられた蓋部（３）とからなる骨壷（１）を設け、この骨壷（１）の器部（２）の外部側面部を、凹状に彫り込んで形成された貼着部（４）を設ける。【００２０】  上記凹状に彫り込んで形成された貼着部（４）は、例えば、ハート形など任意の形状にすることも可能である。【００２１】  次に、故人の写真が貼設されたプレート（５）を設け、さらに、このプレート（５）には、写真以外に、戒名、氏名、享年、命日、等を付設する。
このプレート（５）は、長い年月の経過に耐えるように、それ自体ラミネート等の表面加工を施すものである。【００２２】  次に、上記プレート（５）を、骨壷（１）の器部（２）の外部側面部を、凹状に彫り込んで形成された貼着部（４）に貼着し、更に、その上を透明の樹脂で被着するものである。
上記の様に、写真と共に、戒名、氏名、享年、命日、等を付設することで、別に位牌や遺影を置く必要がなく、骨壷だけを安置することにより、よりスペースを有効に利用できる。
また、透明の樹脂で被着することにより、さらに長い年月耐えうるようにするものである。
【産業上の利用可能性】
【００２３】  特に、最近ペットが無くなった場合、遺体を火葬し、その遺骨を骨壷に入れペット霊園などの納骨堂に安置する事が一般的になってきており、本考案の骨壷は、その様な時も使用出来るものである。
【図面の簡単な説明】
【図１】    本考案の実施状態を示す正面図１
【図２】    本考案の実施状態を示す斜視図１
【図３】    本考案の実施状態を示すＡ〜Ａ断面図
【図４】    本考案の実施状態を示す斜視図２
【図５】    本考案の実施状態を示す側面図
【図６】    本考案の実施状態を示す正面図２
【符号の説明】
１    骨壷
２    器部
３    蓋部
４    貼着部
５    プレート
【図１】
0003116594.tif 000003
【図２】
0003116594.tif 000004
【図３】
0003116594.tif 000005
【図４】
0003116594.tif 000006
【図５】
0003116594.tif 000007
【図６】
0003116594.tif 000008